(57)【要約】【課題】  従来の火力発電プラントの電気集塵器では、常時、碍子ヒーターを稼働させており、所内の動力費を削減できないという問題がある。【解決手段】  本発明の火力発電プラントでは、長期間にわたり火力発電プラントを停止する際には、碍子ヒーター等の通風系統及びタービン、復水器、ボイラ等の水循環系統も停止する。そして、火力発電プラントを再起動させる際には、碍子予熱工程と水循環系統のユニット起動準備工程を連動させて行うことで、火力発電プラントの起動準備作業を効率的に行うことができる。この運転方法により、火力発電プラントの起動準備時間を短縮し、碍子の破壊等を防げる一方、所内における動力費を削減することができる。【選択図】  図３
2006274956.tif 000002
【特許請求の範囲】
【請求項１】
少なくともタービン、復水器及びボイラから構成され、水が状態変化を行いながら循環する水循環系統と、
少なくとも前記ボイラ及び電気集塵器から構成され、前記ボイラの火炉で発生する排煙が流出する通風系統とを有する火力発電プラントにおいて、
前記火力発電プラントを起動させる際に、前記電気集塵器の碍子を加熱する碍子ヒーターを起動させ、前記碍子の表面温度を一定の温度範囲に上昇させる碍子予熱工程と前記水循環系統のユニット起動準備工程とを重複させることを特徴とする火力発電プラントの運転方法。
【請求項２】
前記ユニット起動準備工程の開始指令に連動して、自動的に前記碍子ヒーターが起動することを特徴とする請求項１に記載の火力発電プラントの運転方法。
【請求項３】
前記通風系統が起動時には、前記碍子の表面温度が一定の温度範囲に上昇しているように、前記碍子ヒーターが自動的に起動することを特徴とする請求項２に記載の火力発電プラントの運転方法。
【請求項４】
前記火力発電プラントの稼働中における前記通風系統の停止時には、該停止信号に連動して、自動的に前記碍子ヒーターが起動することを特徴とする請求項１に記載の火力発電プラントの運転方法。
【請求項５】
少なくともタービン、復水器及びボイラから構成され、水が状態変化を行いながら循環する水循環系統と、
少なくとも前記ボイラ及び電気集塵器から構成され、前記ボイラの火炉で発生する排煙が流出する通風系統とを有する火力発電プラントにおいて、
前記火力発電プラントの停止期間では、前記電気集塵器の碍子を加熱する碍子ヒーターを停止し、且つ前記復水器の真空状態を破壊することを特徴とする火力発電プラントの運転方法。
【請求項６】
前記復水器における真空状態の破壊工程の開始指令に連動して、自動的に前記碍子ヒーターが停止することを特徴とする請求項５に記載の火力発電プラントの運転方法。
【発明の詳細な説明】
【技術分野】
【０００１】
本発明は、火力発電プラントの起動工程を効率的に行い、所内の動力費を削減する火力発電プラントの運転方法に関する。
【背景技術】
【０００２】
従来の火力発電プラントでは、燃料装置で石炭を燃焼させ、ボイラ内部に配管されたパイプ内を循環する純水が加熱され、高温、高圧の蒸気を発生させる。高温、高圧の蒸気によりタービンを駆動させ、タービンに連結した発電機により電気を発生させる。一方、燃料装置で発生した排煙は、脱硝装置、集塵装置を経ることで無害化され、無害化された排煙が煙突から大気に排出されている（例えば、特許文献１参照。）。
【０００３】
従来の焼却施設では、焼却炉から排出される燃焼ガスを大気中へ放出するための煙道には、排ガス中の大気汚染物質を除去するための種々の除去装置が設置されている。その除去装置の１つである電気集塵器には、電気集塵ユニット、該電気集塵ユニットへ高圧の直流電気を給電する高圧電線が含まれる。そして、高圧電線は碍子により電気絶縁状態に支持され、高圧電線及び碍子はその周囲を離壁で囲まれ、給電室が形成されている。給電室には、換気通路を通じて温風が供給され、乾燥状態に保たれている（例えば、特許文献２参照。）。
【特許文献１】特開２００３−２８５０３７号公報（第３頁、第１図）
【特許文献２】特開平６−３３５６３８号公報（第２−４頁、第１−３図）
【発明の開示】
【発明が解決しようとする課題】
【０００４】
上述したように、従来の火力発電プラントでは、高圧の電気を電極板へ給電するための高圧電線は、碍子によって絶縁支持されている。そして、碍子表面に水分が結露したり、碍子への付着ダストが吸湿することで、リーク電流により碍子が破壊する場合がある。また、碍子の絶縁性が低下することで、高圧電流の短絡、漏洩等が発生する場合がある。この問題を解決するために、電気ヒーター等によって外気温より暖かい、乾燥した大気を送風し、碍子を乾燥状態にすることで対処している。しかしながら、常時、電気ヒーターを稼働させ、暖かい、乾燥した大気を碍子へと送風することで、火力発電プラント内の動力費を削減できないという問題がある。
【０００５】
また、従来の火力発電プラントでは、長期間にわたり火力発電プラントを停止させた後、再び、起動させる際には、碍子の表面温度を一定の温度範囲内に上昇させるか、あるいは飽和させた状態で通風系統を起動させる必要がある。そのため、碍子ヒーターの起動後、碍子の表面温度を一定の温度範囲内に上昇させるまでには一定の時間が必要である。そして、碍子ヒーターを起動させるタイミングにより、火力発電プラントを起動させる時間が多大に掛かるという問題がある。
【０００６】
また、従来の火力発電プラントは、長期間にわたり火力発電プラントを停止させた後、再び、起動させる際、水循環系統のユニット起動準備工程と碍子の予熱工程とが連動していない。そのため、碍子ヒーターを起動させるタイミングが遅れた場合や碍子ヒーターの起動を忘れた場合には、碍子の表面温度が一定の温度範囲内に上昇していない状態で通風系統が起動し、碍子が破壊等する問題がある。
【０００７】
また、従来の電気集塵器では、高圧電線及び碍子が給電室内へと隔離されている。そして、給電室へは換気通路を通じて温風が供給されている。そのため、電気集塵器には、給電室、換気通路等を配置する必要があり、電気集塵器自体が大きくなり、設置スペースを確保し難いという問題がある。
【課題を解決するための手段】
【０００８】
上述した各事情に鑑みて成されたものであり、本発明の火力発電プラントの運転方法では、少なくともタービン、復水器及びボイラから構成され、水が状態変化を行いながら循環する水循環系統と、少なくとも前記ボイラ及び電気集塵器から構成され、前記ボイラの火炉で発生する排煙が流出する通風系統とを有する火力発電プラントにおいて、前記火力発電プラントを起動させる際に、前記電気集塵器の碍子を加熱する碍子ヒーターを起動させ、前記碍子の表面温度を一定の温度範囲に上昇させる碍子予熱工程と前記水循環系統のユニット起動準備工程とを重複させることを特徴とする。従って、本発明では、碍子予熱工程と水循環系統のユニット起動準備工程とを重複させることで、火力発電プラントを再起動する際の時間を効率的に扱うことができる。
【０００９】
また、本発明の火力発電プラントの運転方法では、前記ユニット起動準備工程の開始指令に連動して、自動的に前記碍子ヒーターが起動することを特徴とする。従って、本発明では、水循環系統のユニット起動準備工程作業と連動して、碍子ヒーターを起動させることができ、操作性を向上させることができる。
【００１０】
また、本発明の火力発電プラントの運転方法では、前記通風系統が起動時には、前記碍子の表面温度が一定の温度範囲に上昇しているように、前記碍子ヒーターが自動的に起動することを特徴とする。従って、本発明では、通風系統を起動させた際には、碍子の表面温度が一定の温度範囲に上昇しており、碍子ヒーターの起動操作忘れによる碍子の破壊等の問題を確実に防ぐことができる。
【００１１】
また、本発明の火力発電プラントの運転方法では、前記火力発電プラントの稼働中における前記通風系統の停止時には、該停止信号に連動して、自動的に前記碍子ヒーターが起動することを特徴とする。従って、本発明では、火力発電プラントの稼働中に事故等により通風系統が停止した場合でも、碍子ヒーターが自動的に起動し、事故等の復旧時に直ちに通風系統を起動させることができる。
【００１２】
また、本発明の火力発電プラントの運転方法では、少なくともタービン、復水器及びボイラから構成され、水が状態変化を行いながら循環する水循環系統と、少なくとも前記ボイラ及び電気集塵器から構成され、前記ボイラの火炉で発生する排煙が流出する通風系統とを有する火力発電プラントにおいて、前記火力発電プラントの停止期間では、前記電気集塵器の碍子を加熱する碍子ヒーターを停止し、且つ前記復水器の真空状態を破壊することを特徴とする。従って、本発明では、火力発電プラントの停止時には、復水器を含む水循環系統及び碍子ヒーターを停止することで、所内の動力費を削減することができる。
【００１３】
また、本発明の火力発電プラントの運転方法では、前記復水器における真空状態の破壊工程の開始指令に連動して、自動的に前記碍子ヒーターが停止することを特徴とする。従って、本発明では、復水器の真空状態を破壊し、水循環系統を停止する際に、碍子ヒーターの停止も連動して行うことで、操作性を向上させることができる。そして、碍子ヒーターの停止操作忘れを防ぎ、所内の動力費を削減することができる。
【発明の効果】
【００１４】
本発明では、長期間にわたり火力発電プラントを停止する際に、碍子ヒーターを停止する。そして、火力発電プラントを再起動する際には、水循環系統のユニット起動準備工程と碍子の予熱工程とを並列作業として行う。この運転方法により、碍子ヒーターを停止することができ、火力発電プラント内の動力費を削減できる。また、火力発電プラントを効率的に再起動することができる。
【００１５】
また、本発明では、碍子ヒーターの起動及び停止のタイミングを水循環系統の起動等と連動させる。この運転方法により、水循環系統の起動後に通風系統を起動させた際には、碍子の表面温度が一定の温度範囲に上昇している。その結果、碍子ヒーターの起動忘れによる碍子の破壊等の問題を確実に防ぐことができる。また、碍子ヒーターの起動遅れによる火力発電プラントの起動遅延を防ぐことができる。
【００１６】
また、本発明では、火力発電プラントの稼働中にユニット事故等により通風系統が停止した際に、自動的に碍子ヒーターを起動させる。この運転方法により、ユニット事故の復旧時に直ぐに通風系統を起動することができる。
【００１７】
また、本発明では、長期間にわたり火力発電プラントを停止する際に、復水器内の真空状態を破壊し、タービン、ボイラ等の水循環系統も停止する。この運転方法により、火力発電プラント内の動力費を削減できる。
【００１８】
また、本発明では、長期間にわたり火力発電プラントを停止する際に、復水器の真空状態を破壊し、水循環系統を停止する指令に連動して、碍子ヒーターの停止も行う。この運転方法により、碍子ヒーターの停止忘れ等を防ぎ、操作性を向上させることができる。
【発明を実施するための最良の形態】
【００１９】
以下に、本発明の一実施の形態である火力発電プラントの運転方法について、図１〜図４を参照し、詳細に説明する。図１は、本実施の形態における火力発電プラントの概略図である。図２（Ａ）は、本実施の形態における火力発電プラントに用いられる電気集塵器の配置状況を説明するための概略図である。図２（Ｂ）は、本実施の形態における電気集塵器の碍子及びその近傍領域を説明するための概略図である。図３は、本実施の形態における碍子の表面温度と復水器内の気圧状態との関係を説明する図である。図４は、碍子ヒーターの起動及び停止を指令するタイミングを説明するためのフロー図である。
【００２０】
図１に示す如く、本実施の形態の火力発電プラント１は、主に、タービン２、発電機３、復水器４、復水ポンプ５、脱気器６、ボイラ給水ポンプ７、ボイラ８、脱硝装置９、空気予熱器１０、押込通風機１１、電気集塵器１２、煙突１３から構成されている。
【００２１】
タービン２は、蒸気タービンである。脱気水（純水）がボイラ８内に配管された循環パイプ内を循環し、高温、高圧の過熱蒸気が発生する。高温、高圧の過熱蒸気が、一点鎖線で示した配管を経由し、タービン２へと流入する。タービン２内では、高温、高圧の過熱蒸気が、低温、低圧の蒸気へと膨張することで、タービン２が回転駆動する。そして、蒸気のもつ熱エネルギーが機械エネルギー（回転エネルギー）へと変換される。
【００２２】
発電機３は、タービン２と連結して構成されている。発電機３は、回転子と固定子とからなる。回転子は回転軸と回転子コイル（界磁巻線）とからなり、固定子は固定子鉄心と固定子コイルとからなる。そして、タービン２の回転軸と発電機３の回転子の回転軸とが同軸接続されている。この構造により、タービン２で得られた機械エネルギーにより発電機３が駆動し、発電機３は電気を発生させる。つまり、発電機３により、機械エネルギーが電気エネルギーへと変換される。
【００２３】
復水器４は、タービン２と接続し、タービン２からの排気蒸気を冷却水により冷却し、凝縮復水を作る。復水器４としては、冷却水を排気蒸気に直接噴射し、直接接触熱交換により凝縮復水を作る噴射式復水器と、冷却管を介して冷却水により排気蒸気を冷却し凝縮復水を作る表面冷却式復水器とがある。例えば、表面冷却式復水器では、冷却管にアルミニウム黄銅管や耐食性の優れたチタン管が用いられる。また、復水器４では、タービン２の熱効率を向上させるために、排気圧力を低く、つまり、高真空状態に保たれている。
【００２４】
復水ポンプ５は、復水器４の復水だまりから復水をくみ出し、二点鎖線で示した配管へと送り出す。そして、復水ポンプからくみ出された復水はボイラ給水として用いられるので、脱気器６へと送られる。
【００２５】
脱気器６は、例えば、上部の脱気室と下部の脱気タンクから構成されている。脱気室は、復水または給水中に溶存する溶存ガスを除去する部位である。脱気タンクは、脱気室で脱気された脱気水を貯水するタンクである。
【００２６】
ボイラ給水ポンプ７は、脱気器６で脱気された脱気水の圧力を上げ、脱気水を二点鎖線で示した配管を経由してボイラ８へと送り込む。
【００２７】
ボイラ８は、例えば、貫流ボイラであり、火炉、蒸発器、過熱器、再熱器等から構成されている。火炉では、燃料のもつ化学熱を燃焼により熱に返還する。そして、火炉を出た排煙（燃焼ガス）は、火炉後部に設けられた過熱器、再熱器に熱を伝え、過熱蒸気を作る。過熱器では、火炉の蒸発器で発生した飽和蒸気を過熱蒸気にし、該過熱蒸気がタービン２へと流入する。再熱器では、タービン２で仕事をし、湿り蒸気に近い状態となった蒸気を再度過熱蒸気にし、該過熱蒸気がタービン２へと流入する。
【００２８】
脱硝装置９は、排煙にアンモニアを吹き付けるとともに触媒の作用によって、排煙に含有される有害な窒素酸化物を無害な窒素と水とに分解する。
【００２９】
空気予熱器１０は、ボイラ８で燃料を燃焼させるのに必要な空気を排煙との熱交換により加熱する。過熱器、再熱器等で熱交換を行った排煙の廃熱を燃焼用空気に回収することにより、ボイラプラントの熱効率を高めることができる。
【００３０】
押込通風機１１は、押込ファンの通風力で燃焼用空気を火炉内に供給し、火炉圧を大気圧以上に保ちながら、ボイラ８内での燃焼効率を向上させる。
【００３１】
電気集塵器１２は、放電極、集塵極、荷電装置等から構成されている。放電極は、コロナ放電を発生させるための電気集塵器１２の陰極である。放電極は、例えば、ワイヤあるいは突起物のある板状のものから構成されている。集塵極は、放電極に対向してダストを捕集するための電気集塵器１２の陽極である。集塵極は、例えば、コロナ放電により負極性に帯電したダストを広い面積で一様に捕集するため、平板状のものが用いられる。荷電装置は、放電極と集塵極の間に、コロナ放電あるいは集塵電界形成のための高電圧を印加する。
【００３２】
煙突１３は、通風力を確保する一方、排煙を効率的に拡散させる。尚、ボイラ８から煙突１３への排煙の流れを示す実線は煙道である。
【００３３】
その他、図示していないが、補給水ポンプでは、クリーンアップ時の送水、復水器４の水張り、脱気器６の水張り、ボイラ８の水張り、冷却水スタンドパイプへの送水等、多目的に使用される。尚、クリーンアップとは、貫流ボイラにおいて、ボイラ８起動に先立ち、復水及び給水系統の洗浄を行い、復水及び給水内の不純物を除去する作業である。そして、クリーンアップは、復水クリーンアップ等のプレボイラ系統とボイラ系統とを各ステップに分けて実施される。
【００３４】
図２（Ａ）に示す如く、電気集塵器１２の放電極２１と集塵極２２とは、排煙の流路である煙道２３に対向した状態で配置されている。例えば、放電極２１及び集塵極２２はそれぞれ板状形状であり、煙道２３内に配置された支持棒２７（図２（Ｂ）参照）に固定されている。放電極２１及び集塵極２２と支持棒２７との間には、碍子２４、碍子ヒーター２５が配置されている。そして、放電極２１及び集塵極２２は荷電装置２６と接続し、両電極２１、２２間には、コロナ放電形成のための高電圧が印加される。
【００３５】
一方、ボイラ８の火炉で発生した排煙は、脱硝装置９で窒化酸化物が除去された後、電気集塵器１２が設置された煙道２３へと流入する。流入した排煙は、放電極２１と集塵極２２との間を通過する際に、燃焼ガス中のダストが除去される。そして、清浄ガスとなった排煙は煙道２３から流出する。
【００３６】
図２（Ｂ）に示す如く、放電極２１及び集塵極２２と支持棒２７とを連結する電極支持部２９には、電源ケーブル２８が接続している。電源支持部２９を周囲から絶縁するように碍子２４が配置されている。碍子２４の近傍には碍子ヒーター２５が配置され、碍子ヒーター２５により碍子２４が加熱される。尚、碍子２４と碍子ヒーター２５との離間距離は、碍子２４の材質等と碍子ヒーター２５の性能等との関係により任意の変更が可能である。
【００３７】
図３に示す如く、先ず、碍子２４の表面温度は、碍子ヒーター２５を起動させることで上昇し、一定の温度で飽和する。一方、碍子ヒーター２５を停止することで、碍子２４の表面温度は下がり、室温程度となる。そして、碍子ヒーター２５を停止した後、碍子ヒーターを再起動させた場合、碍子２４の表面温度を一定の温度範囲に上昇させるためには、一定時間の碍子２４の予熱時間が必要となる。
【００３８】
しかしながら、発明が解決しようとする課題に上述したように、碍子２４の表面温度が一定の温度範囲に上昇していない状態で電気集塵器１２を稼働させた場合には、リーク電流による碍子２４の破壊、高圧電流の短絡、漏洩等の問題が発生する。つまり、上記問題を防ぐためには、通風系統を起動する前に碍子２４を予熱する時間が必須となる。
【００３９】
尚、通風系統の起動では、ボイラ点火準備工程の後、ボイラ点火、昇圧工程を行う。ボイラ点火準備工程では、ボイラ点火前に押込通風機１１等を起動させ、一定風量で一定時間通風し、ボイラ８の火炉内を清掃する。ボイラ点火、昇圧工程では、ボイラを点火した後、タービン起動の蒸気条件まで昇温、昇圧を行う。つまり、通風系統を起動後、直ぐに、ボイラ８から排煙は発生しないので、碍子２４の表面温度は、一定の温度範囲内に上昇していれば、飽和していない場合でも問題はない。
【００４０】
次に、復水器４の気圧状態は、復水器４内の真空状態を破壊することで、復水器４内は、ほぼ真空状態から大気圧と同等の気圧状態となる。一方、復水のクリーンアップ工程時に空気抽出装置を起動させ、復水器４内の空気を吸引し、排出することで、復水器４内の気圧状態はほぼ真空状態となる。
【００４１】
このとき、火力発電プラント１を停止すると、復水器４内に残存する復水や配管内に残存する給水により、復水器４や配管内等に鉄さびが発生する。また、復水器４内の真空破壊により、復水器４や配管等には外気が入り込み、更に、復水器４や配管内等に鉄さびが発生する。そのため、週末停止等の長期間にわたり火力発電プラント１を停止する場合には、火力発電プラント１の起動開始時には、ユニット起動準備工程が必要となる。
【００４２】
ユニット起動準備工程は、主に、燃料、ボイラ補給水、水処理薬品等の保有量の点検工程、タービン２、発電機３、ボイラ８、電源や計器類等の点検工程、復水及び給水のクリーンアップ工程及びボイラ内クリーンアップ工程からなる。そして、貫流ボイラでは、復水器４内の真空上昇を行った後、薬品処理を行いながら系統を循環させ、復水及び給水中に含まれるサビ等の不純物を除去し、復水及び給水の水質を確保する。つまり、ユニット起動準備工程は、長期間の火力発電プラント１の停止後、起動開始時には、ユニット起動準備工程を行う時間が必須となる。
【００４３】
そこで、図示したように、本実施の形態では、水循環系統のユニット起動準備工程と並行して、碍子２４の予熱工程を行う。具体的には、碍子２４の予熱工程では、碍子２４の表面温度が一定の温度範囲に上昇するか、あるいは飽和するまでに５〜６時間程度要する。一方、ユニット起動準備工程では、その作業に６〜７時間程度要する。上述したように、碍子２４の表面温度が一定の温度範囲に上昇していない状態で電気集塵器１２を稼働させた場合には、リーク電流による碍子２４の破壊等が発生する。そのため、通風系統の起動が、碍子予熱期間後となるように、ユニット起動準備工程を開始する。
【００４４】
この作業工程により、長期間の火力発電プラント１の停止に伴い、碍子ヒーター２５を停止することができる。また、復水器４では、真空状態を破壊し、水循環系統を停止できる。その結果、火力発電プラント１内の動力費を削減することができる。一方、水循環系統のユニット起動準備工程と碍子２４の予熱工程とを並列作業として行うことで、火力発電プラント１内の起動時間を短縮し、効率的な起動を実現できる。
【００４５】
尚、上述した碍子２４の予熱工程時間やユニット起動準備工程時間は、一実施の形態であり、本発明を限定するものではない。使用する碍子、碍子ヒーター、復水器等の稼働能力、使用方法等により、それぞれの工程時間は異なる。碍子２４の予熱工程とユニット起動準備工程との一部を重複させることでも、火力発電プラント１内の起動時間を短縮させることができる。
【００４６】
また、本実施の形態では、水循環系統とは、復水または給水がボイラ８により蒸気へと変換され、該蒸気がタービンで仕事をした後、復水器４で復水へと変換され、更に、該復水または給水がボイラ８により蒸気へと変換されるように、水が状態変化しながら循環する系統をいう。また、通風系統とは、燃料がボイラ８で燃焼され、発生する排煙から大気汚染物質を除去し、該排煙が、煙突１３から排出される系統をいう。
【００４７】
図４に示す如く、碍子ヒーター２５の起動及び停止は、タービン２、ボイラ８等の水循環系統の起動等と連動させて、種々のタイミングにより自動制御することができる。図３を用いて上述したように、碍子２４の予熱工程の作業時間及びユニット起動準備工程の作業時間は、それぞれ一定時間必要とされる。
【００４８】
そこで、例えば、ユニット起動計算機を使用し、タービン２、復水器４等の冷却水系統の起動を行った際に、碍子ヒーター２５の起動信号を送り、自動的に碍子ヒーター２５を起動させることができる。この場合には、通風系統が起動する際には、碍子２４の表面温度は一定の温度範囲に上昇しているか、あるいは、碍子２４の表面温度が飽和しているので、碍子２４の破壊等を防ぐことができる。
【００４９】
また、例えば、復水のクリーンアップ工程時に、復水器４内を真空状態とするため、空気抽出装置の起動を行った際に、碍子ヒーター２５の起動信号を送り、自動的に碍子ヒーター２５を起動させることができる。この場合にも、通風系統が起動する際には、碍子２４の表面温度は一定の温度範囲に上昇しているか、あるいは、碍子２４の表面温度が飽和しているので、碍子２４が破壊等することを防ぐことができる。
【００５０】
また、例えば、ボイラ８等のユニット事故等により通風系統が停止した際に、碍子ヒーター２５の起動信号を送り、自動的に碍子ヒーター２５を起動させることができる。この場合には、ユニット事故の復旧時に直ぐに通風系統を起動することができる。
【００５１】
一方、例えば、復水器４内の真空状態を破壊するため、真空破壊工程の起動を行った際に、碍子ヒーター２５の停止信号を送り、自動的に碍子ヒーター２５を停止させることができる。この場合には、上述したように、水循環系統のユニット起動準備工程と碍子２４の予熱工程とを並列作業として行うことができ、火力発電プラント１内の起動を遅らせることなく、動力費を削減できる。
【００５２】
つまり、本実施の形態では、碍子ヒーター２５の起動及び停止のタイミングをタービン２、ボイラ８等の水循環系統の起動等と連動させることで、碍子２４の予熱工程を作業効率良く、且つ確実に行うことができる。そして、碍子２４の予熱工程と水循環系統のユニット起動準備工程とは、長期間の火力発電プラント１の停止後、起動の際の必須工程である。これらの工程を連動させることで、碍子ヒーター２５の起動忘れによる碍子２４の破壊等の問題を確実に防ぐことができる。
【００５３】
尚、本実施の形態では、碍子２４の予熱工程と水循環系統のユニット起動準備工程とを自動的に連動させる場合に限定するものではない。例えば、上述した連動のタイミングに手動により、碍子ヒーター２５の起動及び停止を操作する場合でも良い。その他、本発明の要旨を逸脱しない範囲で、種々の変更が可能である。
【図面の簡単な説明】
【００５４】
【図１】本発明の実施の形態における火力発電プラントを説明するための概略図である。
【図２】本発明の実施の形態における（Ａ）電気集塵器の配置状況を説明するための概略図であり、（Ｂ）電気集塵器の碍子及びその近傍領域を説明するための概略図である。
【図３】本発明の実施の形態における碍子の表面温度と復水器の気圧状態との関係を説明する図である。
【図４】本発明の実施の形態における碍子ヒーターの起動及び停止を指令するタイミングを説明するためのフロー図である。
【符号の説明】
【００５５】
１  火力発電プラント
２  タービン
３  発電機
４  復水器
５  復水ポンプ
６  脱気器
７  給水ポンプ
８  ボイラ
９  脱硝装置
１０  空気予熱器
１１  押込通風機
１２  電気集塵器
１３  煙突
２１  放電極
２２  集塵極
２３  煙道
２４  碍子
２５  碍子ヒーター
【図１】
2006274956.tif 000003
【図２】
2006274956.tif 000004
【図３】
2006274956.tif 000005
【図４】
2006274956.tif 000006